(57)【特許請求の範囲】
【請求項１】
火災時に収納状態から引き下げられて乗場出入口を閉鎖する遮煙・遮炎スクリーンが収納された遮煙・遮炎スクリーン装置と、
前記乗場出入口の縦枠に設置され、前記遮煙・遮炎スクリーン装置を手動にて操作するスクリーン手動閉鎖装置と、
前記スクリーン手動閉鎖装置の扉に設けられたハンドル操作孔と、
前記ハンドル操作孔を裏側から塞ぐように配置され、両側部に切り欠き部が形成されたＴ字形の閉塞板と、
前記スクリーン手動閉鎖装置の扉の裏面でかつ前記ハンドル操作孔の両側にそれぞれ立設され、前記閉塞板のＴ字の上部両側突出部の下面を載置して該閉塞板を所定位置に保持する左右一対の固定体と、
前記スクリーン手動閉鎖装置の扉の裏面でかつ前記ハンドル操作孔の下方に突出して設けられ、前記閉塞板の下端部が差し込まれるとともに、該閉塞板が押されて外れた時に前記閉塞板の上部両側突出部を引っ掛ける案内ガイドと、
前記左右一対の固定体にそれぞれ装着され、前記閉塞板をハンドル操作孔周囲の扉裏面に押し付ける押え体と、
を備えたことを特徴とするエレベータの乗場出入口装置。
【請求項２】
案内ガイドは、その上端部から上方に延長して設けられて、ハンドル操作孔部分のみ覆う延長保護ガイドを更に備えたことを特徴とする請求項１記載のエレベータの乗場出入口装置。
【発明の詳細な説明】
【技術分野】
【０００１】
この発明は、ビル火災発生時に用いられる遮煙・遮炎スクリーンが組み込まれたエレベータ乗場出入口装置に関するものである。
【背景技術】
【０００２】
従来、遮煙・遮炎スクリーンが組み込まれたエレベータの乗場出入口装置においては、乗場三方枠の縦枠内にスクリーン手動閉鎖装置が設置されており、このスクリーン手動閉鎖装置の扉に設けられたハンドル操作孔を、弾性樹脂板で裏側から塞いでいる（例えば、特許文献１参照）。
従来の構造を図１２〜図１５に示す。図１２は従来のエレベータの乗場出入口装置における縦枠内に設置されたスクリーン手動閉鎖装置の正面図、図１３はスクリーン手動閉鎖装置の扉に設けられたハンドル操作孔部分を拡大して示す背面図、図１４はハンドル操作孔を裏側から塞ぐ弾性樹脂板の正面図、図１５はハンドル操作孔部分を示す拡大平面図である。
図において、３は乗場三方枠の縦枠、１３はスクリーン手動閉鎖装置の扉、１４はこの扉１３の中央部に設けられたハンドル操作孔、１５はこのハンドル操作孔１４を裏側から塞ぐように配置された弾性樹脂板、１６はこの弾性樹脂板１５の上下両側縁部中央にそれぞれ設けられた半円形の切り欠き部、１７は扉１３の裏面に立設され、上記弾性樹脂板１５の切り欠き部１６が嵌め込まれる固定ボルト、１８は固定ボルト１７に嵌め込まれ、弾性樹脂板１５を扉１３の裏面にカラー等で隙間を設けて緩く固定する嵌め込みナットである。
【０００３】
【特許文献１】特開２００５−２１２９３４号公報
【発明の開示】
【発明が解決しようとする課題】
【０００４】
従来のエレベータの乗場出入口装置では、スクリーン手動閉鎖装置の扉に設けられたハンドル操作孔を裏側から塞ぐ弾性樹脂板の固定が、弾性変形し易いようにカラー等で隙間を設けて固定しているため、意匠性が悪く、工作性も悪かった。また、悪戯などで弾性樹脂板が外された場合、落下して紛失する恐れがあった。
【０００５】
この発明は上記のような課題を解決するためになされたもので、スクリーン手動閉鎖装置のハンドル操作孔を塞ぐ閉塞板が外れても紛失せず、保守性が向上するとともに、意匠性をも向上させるようにしたエレベータの乗場出入口装置を提供することを目的とする。
【課題を解決するための手段】
【０００６】
この発明に係るエレベータの乗場出入口装置は、火災時に収納状態から引き下げられて乗場出入口を閉鎖する遮煙・遮炎スクリーンが収納された遮煙・遮炎スクリーン装置と、乗場出入口の縦枠に設置され、遮煙・遮炎スクリーン装置を手動にて操作するスクリーン手動閉鎖装置と、スクリーン手動閉鎖装置の扉に設けられたハンドル操作孔と、ハンドル操作孔を裏側から塞ぐように配置され、両側部に切り欠き部が形成されたＴ字形の閉塞板と、スクリーン手動閉鎖装置の扉の裏面でかつハンドル操作孔の両側にそれぞれ立設され、閉塞板のＴ字の上部両側突出部の下面を載置して該閉塞板を所定位置に保持する左右一対の固定体と、スクリーン手動閉鎖装置の扉の裏面でかつハンドル操作孔の下方に突出して設けられ、閉塞板の下端部が差し込まれるとともに、該閉塞板が押されて外れた時に閉塞板の上部両側突出部を引っ掛ける案内ガイドと、左右一対の固定体にそれぞれ装着され、閉塞板をハンドル操作孔周囲の扉裏面に押し付ける押え体とを備えたものである。
【発明の効果】
【０００７】
この発明によれば、、閉塞板が押されて外れた場合にも、閉塞板の上端部が案内ガイドに引っ掛り、落下することがないため、閉塞板を紛失することがなくなり、保守性が向上する。また、外れても樹脂クリップと扉裏面との間に差し込み、もう一度押さえれば容易に復帰するため、保守性が向上する。また、扉と閉塞板の間に隙間の発生もなく、意匠性が向上する。また、閉塞板を押し外さない限り、スクリーン手動閉塞装置の扉を開けられないため、火災時以外の悪戯を抑制することができる。  
【発明を実施するための最良の形態】
【０００８】
実施の形態１.
図１はこの発明の実施の形態１におけるエレベータの乗場出入口装置を示す乗場側正面図、図２はスクリーン手動閉鎖装置を操作する手廻しハンドルを示す斜視図、図３は図１におけるＡ−Ａ線に沿った断面図、図４はこの発明の実施の形態１におけるエレベータの乗場出入口装置の縦枠内に設置されたスクリーン手動閉鎖装置の正面図、図５はスクリーン手動閉鎖装置の扉に設けられたハンドル操作孔部分を拡大して示す背面図、図６は図５におけるＢ−Ｂ線に沿った断面図、図７は図５におけるＣ−Ｃ線に沿った断面図、図８はハンドル操作孔を裏側から塞ぐ閉塞板の正面図、図９は閉塞板が押されて外れた状態を示す図５相当図である。
【０００９】
図において、１は乗場の戸、２は乗場三方枠の正面上方部を構成する幕板、３は乗場三方枠の左右両側部を構成する縦枠、４は幕板２の背面側に設置された遮煙・遮炎スクリーン装置、５は縦枠３に設けられたガイド枠で、遮煙・遮炎スクリーン装置４内に収納されている遮煙・遮炎スクリーン６がビル火災時に引き下げられて案内される。７は縦枠３内に設置され、遮煙・遮炎スクリーン装置４を手動にて操作するスクリーン手動閉鎖装置、８はスクリーン手動閉鎖装置７を手動で操作するための外し棒からなるハンドルである。この外し棒８でワイヤ付のレバーを引っ張ると、スクリーンのロックが外れ、自重でシャッターが降下する。９は手動閉鎖ワイヤ、１０は建築壁、１３はスクリーン手動閉鎖装置の扉、１４はこの扉１３の中央部に設けられたハンドル操作孔、１９はこのハンドル操作孔１４を裏側から塞ぐように配置された例えば弾性樹脂板等からなるＴ字形の閉塞板、１９ａはこの閉塞板１９の左右両側下部にそれぞれ設けられた左右一対の切り欠き部、１７は扉１３の裏面でかつハンドル操作孔１４の両側にそれぞれ立設された左右一対の固定ボルト等からなる固定体で、この左右の固定ボルト１７間に上記閉塞板１９の両切り欠き部１９ａを両側に有する下端部が差し込まれ、Ｔ字形の上部両側突出部の下面を載置することにより、上記閉塞板１９を所定の高さ位置に保持している。２１は固定ボルト１７の先端部に差し込まれる樹脂クリップ等からなる押え体である。この樹脂クリップ２１で押えることにより、上記閉塞板１９をハンドル操作孔１４の周囲の扉１３裏面に密着させることができる。２０は扉１３の裏面でかつハンドル操作孔１４の下方に突出して設けられた案内ガイドである。この案内ガイド２０の内幅寸法は、上記Ｔ字形閉塞板１９の上端部の幅寸法よりも小さく、また切り欠き部１９ａのある下端部の幅寸法よりも大きくしている。したがって、閉塞板１９の通常の装着時には、図５に示すように、Ｔ字形の閉塞板１９の下端部が差し込まれた状態で固定されている。そして、閉塞板１９が押されて外れた場合には、図９に示すように、Ｔ字形の閉塞板１９の上端部が案内ガイド２０に引っ掛り、落下することがない。
【００１０】
したがって、この実施の形態１によるエレベータの乗場出入口装置によれば、閉塞板１９が押されて外れた場合には、図９に示すように、Ｔ字形の閉塞板１９の上端部が案内ガイド２０に引っ掛り、落下することがないため、閉塞板を紛失することがなくなり、保守性が向上する。また、外れても樹脂クリップ２１と扉１３裏面との間に差し込み、樹脂クリップ２１を押さえれば容易に復帰するため、保守性が向上する。また、扉１３と閉塞板１９の間に隙間の発生もなく、意匠性が向上する。また、閉塞板１９を押し外さない限り、スクリーン手動閉塞装置７の扉１３を開けられないため、火災時以外の悪戯を抑制することができる。  
【００１１】
実施の形態２．
図１０はこの発明の実施の形態２におけるエレベータの乗場出入口装置のハンドル操作孔部分を拡大して示す背面図、図１１はこの発明の実施の形態２におけるエレベータの乗場出入口装置のハンドル操作孔部分を拡大して示す側面図である。
【００１２】
この実施の形態２では、上記実施の形態１と同一又は相当部分に同一符号を付して説明を省略する。２０ａは案内ガイド２０の上端部から上方に向かって延長して設けられ、ハンドル操作孔１４部分のみ覆うようにした延長保護ガイドである。この延長保護ガイド２０ａは、ハンドル操作孔１４を裏側から塞ぐＴ字形の閉塞板１９と所定の間隔を置いて対向している。したがって、指で閉塞板１９を押す際に、閉塞板１９が外れて、指がスクリーン手動閉鎖装置７のレバー（図示せず）等に接触することを防止できるので、安全性が向上する。
【００１３】
したがって、この実施の形態２によれば、実施の形態１と同等の効果が得られるとともに、指で閉塞板１９を押す際に、閉塞板が外れても、指がスクリーン手動閉鎖装置のレバー（図示せず）等に接触することが無いので、安全性をより一層向上させることができる。
【図面の簡単な説明】
【００１４】
【図１】この発明の実施の形態１におけるエレベータの乗場出入口装置を示す乗場側正面図である。
【図２】スクリーン手動閉鎖装置を操作する手廻しハンドルを示す斜視図である。
【図３】図１におけるＡ−Ａ線に沿った断面図である。
【図４】この発明の実施の形態１におけるエレベータの乗場出入口装置の縦枠内に設置されたスクリーン手動閉鎖装置の正面図である。
【図５】スクリーン手動閉鎖装置の扉に設けられたハンドル操作孔部分を拡大して示す背面図である。
【図６】図５におけるＢ−Ｂ線に沿った断面図である。
【図７】図５におけるＣ−Ｃ線に沿った断面図である。
【図８】ハンドル操作孔を裏側から塞ぐ閉塞板の正面図である。
【図９】閉塞板が押されて外れた状態を示す図５相当図である。
【図１０】この発明の実施の形態２におけるエレベータの乗場出入口装置のハンドル操作孔部分を拡大して示す背面図である。
【図１１】この発明の実施の形態２におけるエレベータの乗場出入口装置のハンドル操作孔部分を拡大して示す側面図である。
【図１２】従来のエレベータの乗場出入口装置における縦枠内に設置されたスクリーン手動閉鎖装置の正面図である。
【図１３】スクリーン手動閉鎖装置の扉に設けられたハンドル操作孔部分を拡大して示す背面図である。
【図１４】ハンドル操作孔を裏側から塞ぐ弾性樹脂板の正面図である。
【図１５】ハンドル操作孔部分を示す拡大平面図である。
【符号の説明】
【００１５】
１  乗場の戸
２  幕板
３  縦枠
４  遮煙・遮炎スクリーン装置
５  ガイド枠
６  遮煙・遮炎スクリーン
７  スクリーン手動閉鎖装置
８  外し棒からなるハンドル
９  手動閉鎖ワイヤ
１０  建築壁
１３  スクリーン手動閉鎖装置の扉
１４  ハンドル操作孔
１５  弾性樹脂板
１６  切り欠き
１７  固定体（固定ボルト）
１８  嵌め込みナット
１９  Ｔ字形の閉塞板
１９ａ  左右一対の切り欠き部
２０  案内ガイド
２０ａ  延長保護ガイド
２１  押え体（樹脂クリップ）
【図１】
0004792911.tif 000002
【図２】
0004792911.tif 000003
【図３】
0004792911.tif 000004
【図４】
0004792911.tif 000005
【図５】
0004792911.tif 000006
【図６】
0004792911.tif 000007
【図７】
0004792911.tif 000008
【図８】
0004792911.tif 000009
【図９】
0004792911.tif 000010
【図１０】
0004792911.tif 000011
【図１１】
0004792911.tif 000012
【図１２】
0004792911.tif 000013
【図１３】
0004792911.tif 000014
【図１４】
0004792911.tif 000015
【図１５】
0004792911.tif 000016